(57)【要約】【目的】本発明は、動物の体内に存在する放射性物質を動物の体内から外部に排出減少させる方法を提供するものである。【解決手段】最初にイオン交換樹脂に通過させ、その後トルマリンと火成岩のうちの二酸化珪素を６５〜７６重量含む岩石とのどちらか一方を先に他方を後に通過させた特殊な水を、体内に放射性物質を含む動物の体内に飲料水として摂取することによって、動物の体内から尿を介して放射性物質を比較的短期間に排出させることができる。【選択図】図５
2013132262.tif 000002
【特許請求の範囲】
【請求項１】
最初にイオン交換樹脂に通過させ、その後トルマリンと火成岩のうちの二酸化珪素を６５〜７６重量％含む岩石とのどちらか一方を先に他方を後に通過させた特殊な水を、体内に放射性物質を含む動物の体内に飲料水として摂取することによって、動物の体内から放射性物質を排出させることを特徴とする動物の体内から放射性物質を排出減少させる方法。
【請求項２】
前記岩石は、黒曜石，真珠岩及び松脂岩のうちの１つから成る岩石としたことを特徴とする請求項１項記載の動物の体内から放射性物質を排出減少させる方法。
【請求項３】
前記トルマリンにアルミニウム，ステンレス及び銀のうちの少なくとも１つから成る金属を混在させたものとしたことを特徴とする請求項１または２項記載の動物の体内から放射性物質を排出減少させる方法。
【請求項４】
前記トルマリンと前記金属との重量比を１０：１〜１：１０としたことを特徴とする請求項３記載の動物の体内から放射性物質を排出減少させる方法。
【発明の詳細な説明】
【技術分野】
【０００１】
本発明は、動物の体内から放射性物質を排出減少させるための方法に関するものである。
【背景技術】
【０００２】
２０１１年３月１１日の福島県の東京電力福島第一原子力発電所の施設の爆発により、空気中や水中に放射性物質が大量に放出された。空気中や海水中に放出される放射性物質は、主にヨウ素１３１、セシウム１３４、セシウム１３７が挙げられる。ヨウ素１３１の半減期は約８日、セシウムの半減期は約３０年である。これらのヨウ素やセシウムの空気中への放出により、福島県やその近隣の県の人間や、牛や豚や馬や羊や鶏等の家畜や、犬や猫等のペットが放射性物質で汚染された。特に、福島県やその近隣の県の何箇所かで育成していた肉牛の肉に含まれている放射性物質の値が、日本で販売可能なセシウムの安全基準値５００Ｂｑ／Ｋｇを越える結果が出て、販売できなくなった。更に、セシウムの安全基準値以下の値が出た牛の肉であっても、風評被害にあって売れなくなっている。
【０００３】
福島県やその近隣の県では、肉牛だけでなく、豚や羊や鶏等の人間の食用となる家畜の一部も、牛と同様に、体内に相当量の放射性物質が含まれているものと想定される。人間についても、福島県内の小学生や中学生においては、体内に放射性物質が含まれているかどうかの検査がされたが、低い放射線量ではあるが、放射線量が検知された生徒が少ない割合で存在した。
【０００４】
水を用いて動物の生命活動を活性化する方法が、特許文献１に知られている。特許文献１は、畜産動物の飼育のために用いる水として、通常使用されている水道水や井戸水を、高効率赤外線放射性に優れたセラミックとして高温焼成した成形物に接触させて改質水（改良水）とし、その改質水を飲料水として畜産動物に摂取させることによって、動物の成育促進を図っている。
【先行技術文献】
【特許文献】
【０００５】
【特許文献１】特開２０１１−１８８８４４
【発明の概要】
【発明が解決しようとする課題】
【０００６】
特許文献１に示す高温焼成したセラミックの成形物に水道水や井戸水を接触させた改質水は、動物の成育促進を図る水であるが、動物の体内に存在する放射性物質を体外に排出するものではない。この他に、水を使用して動物の体内の放射性物質を減少させる先行技術は存在しない。
【０００７】
本発明は、動物の体内に存在する放射性物質を動物の体内から外部に排出減少させる方法を提供するものである。
【課題を解決するための手段】
【０００８】
本発明に係る放射性物質を動物の体内から外部に排出減少させる方法は、最初にイオン交換樹脂に通過させ、その後トルマリンと火成岩のうちの二酸化珪素を６５〜７６重量％含む岩石とのどちらか一方を先に他方を後に通過させた特殊な水を、体内に放射性物質を含む動物の体内に飲料水として摂取することによって、動物の体内から放射性物質を排出させることを特徴とするものである。本発明は、前記岩石は、黒曜石，真珠岩及び松脂岩のうちの１つから成る岩石としたことを特徴とするものである。本発明は、前記トルマリンにアルミニウム，ステンレス及び銀のうちの少なくとも１つから成る金属を混在させたものとしたことを特徴とするものである。本発明は、前記トルマリンと前記金属との重量比を１０：１〜１：１０としたことを特徴とするものである。
【発明の効果】
【０００９】
本発明に係る放射性物質を動物の体内から外部に排出減少させる方法は、体内に放射性物質を含む動物（放射性物質で汚染された動物）に飲料水として創生水を摂取させる。井戸水を動物に摂取させた場合と比べて、創生水を動物に摂取させた場合の方が、動物の体内から排出される尿に含まれるセシウムの減少率が約２倍多い。以上のことから、創生水を動物に摂取させることで、比較的短期間で動物の体内から尿を介して放射性物質を体外に排出することができる。この結果、家畜動物の体内に含まれるセシウムを短期間で安全基準値以下にすることができ、家畜動物の食肉を安全なものとして販売することができる。
【図面の簡単な説明】
【００１０】
【図１】本発明に係る放射性物質を動物の体内から外部に排出減少させる方法に使用する特殊な水（創生水）を作る製造装置の一例を示す構成図である。
【図２】図１に示す製造装置に用いる水生成器の断面図である。
【図３】図１に示す製造装置に用いるイオン生成器の要部断面図である。
【図４】本発明に係る放射性物質を動物の体内から外部に排出減少させる方法に使用する特殊な水（創生水）を作る製造装置の他の例を示す構成図である。
【図５】実験開始日における１５種類の牛の尿に含まれるセシウムの値と、実験終了日における創生水と井戸水における１５種類の牛の尿に含まれるセシウムの値と、１５種類のセシウムの減少率（増加率）とを示す表である。
【図６】図５の１５種類の牛の検体番号と、その牛の生後の月数を示す表である。
【図７】実験対象となる牛「創生１」の実験開始日におけるセシウムの値を示す試験成績証明書である。
【図８】実験対象となる牛「創生１」の実験終了日におけるセシウムの値を示す試験成績証明書である。
【図９】実験対象となる牛「創生２」の実験開始日と実験終了日におけるセシウムの値を示す試験成績証明書である。
【図１０】実験対象となる牛「創生４」の実験開始日と実験終了日におけるセシウムの値を示す試験成績証明書である。
【図１１】実験対象となる牛「創生５」の実験開始日と実験終了日におけるセシウムの値を示す試験成績証明書である。
【図１２】実験対象となる牛「創生６」の実験開始日と実験終了日におけるセシウムの値を示す試験成績証明書である。
【図１３】実験対象となる牛「創生７」の実験開始日と実験終了日におけるセシウムの値を示す試験成績証明書である。
【図１４】実験対象となる牛「創生８」の実験開始日と実験終了日におけるセシウムの値を示す試験成績証明書である。
【図１５】実験対象となる牛「井戸９」の実験開始日と実験終了日におけるセシウムの値を示す試験成績証明書である。
【図１６】実験対象となる牛「井戸１０」の実験開始日と実験終了日におけるセシウムの値を示す試験成績証明書である。
【図１７】実験対象となる牛「井戸１１」の実験開始日と実験終了日におけるセシウムの値を示す試験成績証明書である。
【図１８】実験対象となる牛「井戸１２」の実験開始日と実験終了日におけるセシウムの値を示す試験成績証明書である。
【図１９】実験対象となる牛「井戸１３」の実験開始日と実験終了日におけるセシウムの値を示す試験成績証明書である。
【図２０】実験対象となる牛「井戸１４」の実験開始日と実験終了日におけるセシウムの値を示す試験成績証明書である。
【図２１】実験対象となる牛「井戸１５」の実験開始日と実験終了日におけるセシウムの値を示す試験成績証明書である。
【図２２】実験対象となる牛「井戸１６」の実験開始日と実験終了日におけるセシウムの値を示す試験成績証明書である。
【発明を実施するための形態】
【００１１】
本発明の放射性物質を動物の体内から外部に排出減少させる方法について説明する前に、先ず、本発明で使用する第１の特殊な水（以下、「創生水」とする）を、図１乃至図３に基づいて説明する。図１は創生水の製造装置の一実施例を示す構成図である。第１の軟水生成器１０と第２の軟水生成器１２とイオン生成器１４と岩石収納器１６とを、連絡管１８ａ，１８ｂ，１８ｃを介して、順に直列に連結する。第１の軟水生成器１０には、例えば水道のような圧力のある水が水供給管２０から連絡管２２を介して内部に導入される。水供給管２０と連絡管２２との間には、蛇口のような入口用開閉弁２４が備えられ、連絡管２２の途中には逆止弁２６が備えられる。岩石収納器１６の出口側には吐出管２８が取り付けられ、吐出管２８の先端または途中に出口用開閉弁３０が備えられる。
【００１２】
水道水の場合、水供給管２０から送り出される水は、第１の軟水生成器１０と第２の軟水生成器１２とイオン生成器１４と岩石収納器１６の順を経て、出口用開閉弁３０を開くことによって吐出管２８から取り出される。水道水以外の場合は、図示しないが、水槽に溜めた水をポンプによって、水供給管２０を経由して第１の軟水生成器１０に導入する。この場合、ポンプと第１の軟水生成器１０との間に逆止弁２６を備える。
【００１３】
第１の軟水生成器１０と第２の軟水生成器１２は、その内部に粒状のイオン交換樹脂３２を大量に収納するもので、その断面図を図２に示す。軟水生成器１０，１２の本体３４は筒状をしており、その筒状の上下端面に水の出入口３６ａ，３６ｂを有する。筒状の本体３４の内部には、上下の端面からやや離れた位置の内壁に、それぞれ中央に穴を開けたシールド部材３８ａ，３８ｂを備える。その一対のシールド部材３８ａ，３８ｂの間に、イオン交換樹脂３２を細かい網４０に入れた状態で収納する。上下の出入口３６ａ，３６ｂからやや離れた位置の内壁に、中央に穴を開けたシールド部材３８を備えるのは、イオン交換樹脂３２を入れた網４０を一対のシールド部材３８の間に配置し、出入口３６ａ，３６ｂ付近に空間４２ａ，４２ｂを形成させるためである。また、シールド部材３８ａ，３８ｂの中央の穴から水を出入りさせるようにしたのは、水がイオン交換樹脂３２に必ず接触させるためである。イオン交換樹脂３２を網４０に入れるのは、粒状のイオン交換樹脂３２を洗浄するために取り出す際に、網４０ごと粒状のイオン交換樹脂３２を取り出せるようにしたものである。
【００１４】
第１の軟水生成器１０と第２の軟水生成器１２は、その高さを例えば８０ｃｍとし、内径を１０ｃｍとする。そして、例えばイオン交換樹脂３２の収納高さを７０ｃｍとし（上下に空間４２ａ，４２ｂを存在させる）。この際、イオン交換樹脂３２の収納高さは、水にイオン交換が充分行なえるような高さが必要である。一方、イオン交換樹脂３２の収納高さが高くなりすぎると（例えばイオン交換樹脂３２の収納高さが約２００ｃｍ以上になると）、イオン交換樹脂３２が水の抵抗となって軟水生成器の内部を通過する流量が減少するため、イオン交換樹脂３２の収納高さを流量が減少しない高さにする。イオン交換樹脂３２を収納する容器を２つに分けたのは、第１の軟水生成器１０や第２の軟水生成器１２の高さをイオン生成器１４や岩石収納器１６と同じ程度の高さに低く押えるためと、そこを通過する水の圧損失によって流量が減少することを避けるためである。また、２つの軟水生成器１０，１２を１つにまとめて、１つの軟水生成器にすることも可能である。
【００１５】
イオン交換樹脂３２は、水に含まれているＣａ2+やＭｇ2+やＦｅ2+等の金属イオンを除去して、水を軟水にするためのものであり、特に水の硬度をゼロに近い程度に低くするためのものである。イオン交換樹脂３２としては、例えば、スチレン・ジビニルベンゼンの球状の共重合体を均一にスルホン化した強酸性カチオン交換樹脂（ＲｚＳＯ3 Ｎａ）を用いる。このイオン交換樹脂３２は、水に含まれているＣａ2+やＭｇ2+やＦｅ2+等の金属イオンとは、以下のイオン交換反応を生じる。
２ＲｚＳＯ３ Ｎａ  ＋  Ｃａ2+  →  （ＲｚＳＯ３）２ Ｃａ  ＋  ２Ｎａ+
２ＲｚＳＯ３ Ｎａ  ＋  Ｍｇ2+  →  （ＲｚＳＯ３）２ Ｍｇ  ＋  ２Ｎａ+
２ＲｚＳＯ３ Ｎａ  ＋  Ｆｅ2+  →  （ＲｚＳＯ３）２ Ｆｅ  ＋  ２Ｎａ+
即ち、イオン交換樹脂３２を通すことによって、水に含まれているＣａ2+やＭｇ2+やＦｅ2+等を除去することができる。イオン交換樹脂３２として強酸性カチオン交換樹脂（ＲｚＳＯ３ Ｎａ）を用いることによって、ナトリウムイオン（Ｎａ+ ）が発生する。イオン交換樹脂３２は、Ｎａ+ 以外のものが発生するものであっても構わないが、Ｎａ+ を発生するものの方が好ましい。水が水道水であれば、その水道水の中にはＣａ2+やＭｇ2+やＦｅ2+等の金属イオンの他に塩素が含まれているが、水道水がイオン交換樹脂３２を通ることによって、この塩素には何も変化が生じない。
【００１６】
一方、水（Ｈ２ Ｏ）がイオン交換樹脂３２を通ることによって、以下のように変化する。
Ｈ２ Ｏ  →  Ｈ+   ＋  ＯＨ-     ……(1) 
Ｈ２ Ｏ  ＋  Ｈ+   →  Ｈ３ Ｏ+   ……(2) 
即ち、(1) (2) に示すように、イオン交換樹脂３２を通ることによって、水からは水酸化イオン（ＯＨ- ）とヒドロニウムイオン（Ｈ３ Ｏ+ ）とが発生する。
【００１７】
このように、水が硬水であった場合に、イオン交換樹脂３２を通過することによって、水からＣａ2+やＭｇ2+やＦｅ2+等の金属イオンが除去されて軟水となる。また、イオン交換樹脂３２を通過することによって、水の中にＮａ+ とＯＨ- とヒドロニウムイオン（Ｈ３ Ｏ+ ）とが発生する。しかし、水道水に含まれている塩素（Ｃｌ）はイオン化しないでそのまま通過する。なお、イオン交換樹脂３２の種類によっては、Ｎａ+ が発生しないこともある。
【００１８】
次に、前記イオン生成器１４の部分断面図を図３に示す。イオン生成器１４は、複数個のカートリッジ４４を同じ配置で上下に連続して直列に連結したものである。各カートリッジ４４の内部に、粒状のトルマリン４６のみか、粒状のトルマリン４６と板状の金属４８との混合物かのいずれかを収納する。トルマリンは、プラスの電極とマイナスの電極とを有するもので、このプラスの電極とマイナスの電極によって、水に４〜１４ミクロンの波長の電磁波を持たせ、かつ水のクラスターを切断してヒドロニウムイオン（Ｈ３ Ｏ+ ）を発生させるためのものである。その４〜１４ミクロンの波長の電磁波が持つエネルギは０．００４ｗａｔｔ／ｃｍ2 である。ここで、トルマリン４６とは、トルマリン石を細かく砕いたものであっても良いが、トルマリンとセラミックと酸化アルミニウム（銀を含むものもある）との重量比を約１０：８０：１０とする市販のトルマリンペレットと呼ばれるトルマリン混合物であっても良い。このトルマリンペレットに含まれるセラミックは、プラスの電極とマイナスの電極を分離しておく作用をする。ここで、トルマリン４６をセラミックに対し重量比１０重量以上の割合で混合させて８００°Ｃ以上で加熱することによって、水の攪拌によって所定の期間（例えば直径４mmで約３ヶ月）で消滅するトルマリン４６を作ることができる。トルマリン４６は、加熱によって強度が増し、摩滅期間を長くすることができる。イオン交換樹脂３２を通過させて水を硬度がゼロに近い軟水にして、その軟水の中でトルマリン４６同士をこすり合わせる。硬度がゼロに近い軟水では、トルマリン４６のマイナスの電極にアルミニウムイオンやカルシウムイオンが付着するのを防ぐことができ、トルマリン４６のプラスとマイナスの電極としての働きを低下させることを防ぐことができる。
【００１９】
前記金属４８としては、アルミニウム、ステンレス、銀の少なくとも１種類の金属を用いる。この金属４８としては、水中で錆を発生させたり水に溶けたりしない金属が望ましい。この金属４８のうち、アルミニウムは殺菌作用や抗菌作用と共に漂白作用を有しており、ステンレスは殺菌作用や抗菌作用と共に洗浄向上作用を有しており、銀は殺菌作用や抗菌作用を有している。金属４８としては、銅や鉛は毒性を有しているので採用することができない。また、金等の高価な素材はコスト上からも採用することができない。前記トルマリン４６と金属４８との重量比は、１０：１〜１：１０が望ましい。その範囲を超えると、一方の素材が多くなりすぎ、両方の素材の効果を同時に発揮することができない。
【００２０】
カートリッジ４４は一端を開放した筒状をしており、その底面５０に多数の穴５２が設けられている。カートリッジ４４の内部にトルマリン４６と金属４８とを入れた場合に、底面５０の穴５２をトルマリン４６や金属４８が通過しないように穴５２の大きさを設定する。図３に示すように、各カートリッジ４４は多数の穴５２を設けた底面５０を下側にし、その底面５０の上にトルマリン４６や金属４８を載せる。そして、各カートリッジ４４の内部を下位から上位に向かって流れるように設定する。即ち、各カートリッジ４４においては、底面５０の多数の穴５２を通過した水が、下から上に向けてトルマリン４６と金属４８とに噴射するように設定されている。ここで、水道水は高い水圧を有するので、その水圧を有する水がカートリッジ４４内のトルマリン４６と金属４８に勢いよく衝突し、その水の勢いでトルマリン４６と金属４８とがカートリッジ４４内で攪拌されるように、穴５２の大きさ並びに個数を設定する。水をトルマリンに噴射してトルマリンを攪拌するのは、その攪拌によってトルマリンと水とに摩擦が生じ、トルマリンからプラスとマイナスの電極が水に溶け出して水のクラスターを切断し、ヒドロニウムイオン（Ｈ3 Ｏ+ ）を大量に発生させるためである。
【００２１】
実際の設置例としては、内径５ｃｍで深さが７ｃｍの収容容積を有するカートリッジ４４を４段に重ね、そのカートリッジ４４内にトルマリン４６と金属４８とを充分収納するが、トルマリン４６と金属４８とがカートリッジ４４内で自由に移動できるような分量とする。カートリッジ４４の段数を増減しても構わないし、収容容積を大きくした１個のカートリッジ４４にしても良い。このように、トルマリン４６と金属４８を収容容積を小さくした複数のカートリッジ４４に分散させて、それらの複数のカートリッジ４４を接続させることで、水の勢いによってトルマリン４６と金属４８との撹拌効率を高めることができる。カートリッジ４４内に収納したトルマリン４６は、水に溶けて数ヶ月で消滅するので、各カートリッジ４４は例えば螺合等の手段によって容易に着脱出来るようにし、各カートリッジ４４内にトルマリン４６を容易に補充できるようにする。なお、金属４８は水に溶けないので補充する必要がないが、トルマリン４６と金属４８とを入れたカートリッジ４４全体を取替えることも可能である。カートリッジ４４は使用流量の大小に応じてその収容容積を変えるようにしても良い。
【００２２】
カートリッジ４４を通過する水に加えるマイナスイオンを増やすためには、トルマリン４６同士がこすり合うことでプラスの電極とマイナスの電極が発生し、そのトルマリン４６に水が接触することで、マイナスイオンの増加が達成できる。また、水のクラスターを切断し、ヒドロニウムイオン（Ｈ３ Ｏ+ ）を大量に発生させるためには、カートリッジ４４内にトルマリン４６のみを収容すれば良い。しかし、金属４８をトルマリン４６と混合させることによって、それらが接触し合ってトルマリン４６に発生するマイナスイオンをより増加させることができる。
【００２３】
トルマリン４６にはプラス電極とマイナス電極とを有するため、トルマリンが水で攪拌されると、水（Ｈ２Ｏ）は水素イオン（Ｈ+ ）と水酸化イオン（ＯＨ- ）とに解離する。
Ｈ２Ｏ  →  Ｈ+   ＋  ＯＨ-     ……(1) 
更に、水素イオン（Ｈ+ ）と水（Ｈ２Ｏ）とによって、界面活性作用を有するヒドロニウムイオン（Ｈ３Ｏ+ ）が発生する。このヒドロニウムイオン（Ｈ3 Ｏ+ ）の発生量は、前記イオン交換樹脂３２によって発生する量よりはるかに多い量である。
Ｈ２Ｏ  ＋  Ｈ+   →  Ｈ３Ｏ+     ……(2) 
【００２４】
イオン交換樹脂３２を通過した水を、イオン生成器１４を通過させることによって、水の内部にヒドロニウムイオン（Ｈ３Ｏ+ ）とＨ+ とＯＨ- とが発生する。なお、イオン交換樹脂３２を通過した塩素（Ｃｌ）と、イオン交換樹脂３２で発生したＮａ+ とは、反応することなくそのままイオン生成器１４を通過する。
【００２５】
イオン生成器１４を通過した水を、次に、火成岩のうち二酸化珪素を６５〜７６重量％含む岩石５４を収納する岩石収納器１６の内部を通過させる。火成岩（火山岩と深成岩とに分けられる）のうち二酸化珪素を多く含む岩石５４としては、火山岩には黒曜石や真珠岩や松脂岩等の流紋岩があり、深成岩には花崗岩がある。岩石収納器１６の内部には、黒曜石，真珠岩，松脂岩，花崗岩の岩石のうちの少なくとも1種類以上の岩石を収納する。黒曜石や真珠岩や松脂岩等の流紋岩、あるいは花崗岩はマイナス電子を帯びている。更に、黒曜石や真珠岩や松脂岩等の流紋岩や花崗岩は酸性岩である。流紋岩は花崗岩と同じ化学組成を持つものである。
【００２６】
これら火成岩のうちの二酸化珪素を約６５〜７６重量％を含む岩石（黒曜石や真珠岩や松脂岩等の流紋岩、あるいは花崗岩等の深成岩）は、原石の状態で−２０〜−２４０mＶの酸化還元電位を有する。但し、岩石５４は水に溶けるものを除く。岩石収納器１６は例えば内径を１０ｃｍとし、高さを８０ｃｍの筒とし、その内部に例えば５ｍｍ〜５０ｍｍ粒程度の大きさの火成岩のうちの二酸化珪素を多く含む岩石５４を、水の通過流量を落とさない程度の量を収容する。
【００２７】
この岩石収納器１６の内部に、イオン生成器１４を通過した水を通過させると、水にｅ- （マイナス電子）が加えられる。この結果、水道水に含まれている塩素（Ｃｌ）はマイナス電子によって、塩素イオンとなる。
Ｃｌ  ＋  ｅ-   →  Ｃｌ-       ……(3) 
このＣｌ- と前記Ｎａ+ とはイオンとして安定した状態になる。安定した状態とは、蒸発することなくイオン状態が長期間保たれることを意味する。水が岩石５４を通過することによって、イオン生成器１４を通過した水と比べて、ヒドロニウムイオン（Ｈ３Ｏ+ ）が更に発生する。
Ｈ２Ｏ  ＋  Ｈ+   →  Ｈ３Ｏ+     ……(2) 
水が岩石５４を通過することによって、その他に、以下の反応も発生する。
ＯＨ-   ＋  Ｈ+   →  Ｈ２Ｏ    ……(4) 
２Ｈ+   ＋  ２ｅ-   →  ２Ｈ２  ……(5) 
更に、水が岩石収納器１６を通過すると、岩石５４のマイナス電子によって、水の酸化還元電位が＋３４０mＶから−２０〜−２４０mＶになる。水に代えてお湯を使うと、マイナスの酸化還元電位がより安定する。更に、岩石５４を通過した水は、溶存酸素や活性水素を大量に含む。
【００２８】
図１に示すように、水が、最初にイオン交換樹脂を通過し、次にトルマリン４６（またはトルマリン４６と金属４８とを混合させたもの）に通過し、その後に岩石収納器１６を通過したものが特殊な水（創生水）である。創生水には、Ｎａ+ と、Ｃｌ- と、Ｈ+ と、ＯＨ- と、Ｈ２と、ヒドロニウムイオン（Ｈ３Ｏ+ ）と、活性水素と、溶存酸素とを多く含む。この水のエネルギは０．００４ｗａｔｔ／ｃｍ2 である４〜１４ミクロンの波長の電磁波を有し、−２０〜−２４０mＶの酸化還元電位を有する。
【００２９】
本発明に係る水素の製造方法を生成する際に使用する水としては、水をイオン交換樹脂３２，トルマリン４６（またはトルマリン４６と金属４８とを混合したもの），岩石５４の順に通過させた創生水を使用する。図１では、水をイオン交換樹脂３２，トルマリン４６（またはトルマリン４６と金属４８とを混合したもの），岩石５４の順に通過させたが、水をイオン交換樹脂３２，岩石５４，トルマリン４６（またはトルマリン４６と金属４８とを混合したもの）の順にしても良い。即ち、図４に示すように、水を第１の軟水生成器１０と第２の軟水生成器１２と岩石収納器１６とイオン生成器１４の順に通過させるようにしてもよい。
【００３０】
この図４においては、イオン交換樹脂３２を通過した水は、次に岩石５４を通過する。この岩石５４によって、水の内部にｅ- （マイナス電子）が発生する。この結果、水道水に含まれている塩素はマイナス電子によって、塩素イオンとなる。
Ｃｌ  ＋  ｅ-   →  Ｃｌ-       ……(4) 
このＣｌ- とイオン交換樹脂３２によって発生したＮａ+ とはイオンとして安定した状態になる。なお、イオン交換樹脂３２を通過した水であっても、Ｎａ+ を含まない場合もある。
イオン交換樹脂３２を通過した水には、前記(1) (2) に示すように、Ｈ+ とＯＨ- とヒドロニウムイオン（Ｈ3 Ｏ+ ）とが存在する。イオン交換樹脂３２を通過した水が、その後、岩石５４を通過することによって、以下の反応も発生する。
ＯＨ-   ＋  Ｈ+   →  Ｈ２ Ｏ    ……(4) 
Ｈ２ Ｏ  ＋  Ｈ+   →  Ｈ３Ｏ+     ……(2) 
２Ｈ+   ＋  ２ｅ-   →  ２Ｈ２   ……(5) 
この反応においては、ヒドロニウムイオン（Ｈ３Ｏ+ ）が、イオン交換樹脂３２によって発生する量よりも更に多くの量が発生する。
以上のように、イオン交換樹脂３２の後に岩石５４を通過することによって、水の中に従来から存在したＮａ+ とＯＨ- と、新たに発生するＣｌ- とヒドロニウムイオン（Ｈ３3 Ｏ+ ）とが存在することになる。また、岩石５４を通過させた水は、酸化還元電位が−２０〜−２４０mＶになる。水に代えてお湯を使うと、マイナスの酸化還元電位が更に安定する。更に、岩石５４を通過した水は、溶存酸素や活性水素を大量に含む。
【００３１】
この岩石５４を通過した水を、次にトルマリン４６と金属４８を内蔵するイオン生成器１４の内部を通過させる。これによって、以下の反応が生じる。
Ｈ２Ｏ  →  Ｈ+   ＋  ＯＨ-     ……(1) 
Ｈ２Ｏ  ＋  Ｈ+   →  Ｈ３Ｏ+     ……(2) 
このヒドロニウムイオン（Ｈ３Ｏ+ ）は大量に発生する。
この結果、トルマリン４６と金属４８を通過させた水には、ヒドロニウムイオン（Ｈ３Ｏ+ ）と、ＯＨ- と、Ｈ+ とが増加する。
【００３２】
図４に示すように、水をイオン交換樹脂３２，岩石５４，トルマリン４６（またはトルマリン４６と金属４８とを混合したもの）の順に通過させたものは、Ｎａ+ と、Ｃｌ- と、ＯＨ- と、ヒドロニウムイオン（Ｈ３Ｏ+ ）と、Ｈ+ と、溶存酸素と、活性水素とを含み、図１で創り出した創生水と同じ成分を含む。更に、０．００４ｗａｔｔ／ｃｍ2 のエネルギを有する４〜１４ミクロンの電磁波と、−２０〜−２４０mＶの酸化還元電位を有する。この結果、図４で創り出した水と図１で創り出した創生水とは、同じ効果を有する。図４の装置で生成する水は、図１で生成する創生水と、水に含むものは結果的に同じであるので、図４の装置で生成する水も創生水とする。
【００３３】
この創生水の水質検査結果を、以下に示す。この創生水と比較する水道水の値をカッコ内に示す。但し、水道水において創生水と同じ値は、「同じ」とする。亜硝酸性窒素及び硝酸性窒素：１．８mg/l（同じ）、塩素イオン：６．８mg/l（９．０mg/l）、一般細菌：０個/ml （同じ）、シアンイオン０．０１mg/l未満（同じ）、水銀：０．０００５mg/l未満（同じ）、有機リン：０．１mg/l未満（同じ）、銅：０．０１mg/l未満（同じ）、鉄：０．０５mg/l未満（０．０８mg/l未満）、マンガン：０．０１mg/l未満（同じ）、亜鉛：０．００５mg/l未満（０．０５４mg/l未満）、鉛：０．０１mg/l未満（同じ）、六価クロム：０．０２mg/l未満（同じ）、カドミウム：０．００５mg/l未満（同じ）、ヒ素：０．００５mg/l未満（同じ）、フッ素：０．１５mg/l未満（同じ）、カルシウムイオン・アルミニウムイオン等（硬度）：１．２mg/l（４９．０mg/l）、フェノール類：０．００５mg/l未満（同じ）、陰イオン海面活性剤０．２mg/l未満（同じ）、ｐＨ値：６．９（同じ）、臭気：異臭なし（同じ）、味：異味なし（同じ）、色度：２度（同じ）、濁度：０度（１度）
【００３４】
創生水は、以下に列挙する多くの特徴を有する。
(a) ヒドロニウムイオン（Ｈ３Ｏ+ ）と、水素イオン（Ｈ+）と、水素と、水酸基（ＯＨ-）と、硫酸イオン（ＳＯ４２-）と、炭酸水素イオン（ＨＣＯ３ -）と、炭酸イオン（ＣＯ３２-）と、メタケイ酸（Ｈ２ＳｉＯ３）と、遊離二酸化炭素（ＣＯ２）とを含んでいる。
(b) 界面活性作用がある。
界面活性作用（ＯＷ型創生水乳化作用）を有する。
(c）微弱エネルギ（育成光線）作用がある。
トルマリンは微弱エネルギ（４〜１４ミクロンの波長の電磁波）を放出する。この微弱エネルギは水の大きいクラスターを切断して、クラスター内に抱えこまれていた有毒ガスや重金属類を水から外部に放出する。
(d) −２０〜−２４０mＶの酸化還元電位を有している。
(e) 溶存酸素や活性水素を含んでいる。
(f) カルシウムイオンやアルミニウムイオンを除去した軟水である。
イオン交換樹脂に水道水等を通すことによって、水に含まれているカルシウムイオン及びアルミニウムイオンを除去することができる。
(g)創生水は、(a)〜(f)の特徴から飲料水として適している。 
【００３５】
創生水の改良水として、創生水（Ｈ１）がある。創生水（Ｈ１）は、図１や図４で生成した創生水を、更に黒曜石に接触させたものである。創生水を黒曜石に接触させる例（創生水（Ｈ１）の生成例）としては、創生水を収容する容器と黒曜石を収容した連絡通路とを連絡し、連絡通路の途中にポンプを備え、容器内の創生水を黒曜石を収容した連絡通路を通って再び容器内に戻して循環させるようにしたものである。創生水（Ｈ１）は容器内の創生水を３〜４回連絡通路内の黒曜石に通したものである。黒曜石の連絡通路内の収容長さは、例えば３０〜８０ｃｍである。創生水（Ｈ１）は創生水と同じ特徴を有すると共に、創生水と比べてＨ+ を増加させたものである。
【００３６】
本発明に係る動物の体内から放射性物質を減少排出させる方法について説明する。福島県やその近隣の県に、内部被爆をして体内に放射性物質が蓄積されている動物が多数存在する。内部被爆をしている動物には、家畜として、牛、馬、豚、羊、鶏などがあり、ペットとして、犬や猫が含まれる。更に、内部被爆をして体内に放射性物質が蓄積されている動物の中に人間も含まれる。内部被爆をしている動物の飲料水として、上記創生水を使用する。即ち、放射性物質が蓄積されている動物の体内から放射性物質を減少排出させるために、放射性物質が蓄積されている動物に創生水を摂取させる。
【００３７】
本発明に係る動物の体内から放射性物質を減少させる方法について、以下の実験を行った。内部被爆を受けて体内に放射性物質が蓄積されていると考えられる１５頭の牛を選んで、そのうちの７頭に、飲料用の水として前記創生水を１週間連続で摂取させ、残りの８頭に、飲料用の水として井戸水を１週間連続で摂取させた。１５頭の牛は、東京電力福島第一原子力発電所の施設の爆発から現在まで、移動することなく福島県内の牧場で飼育されている牛である。
【００３８】
図５は上段と下段との二つの表に関するものであり、上段の表は飲料水として創生水を１７日間連続で摂取させた結果を示すものであり、下段の表は飲料水として井戸水を１７日間連続で摂取させた結果を示すものである。上段の表の左側は、測定開始日である９月２６日に７頭のそれぞれの牛のセシウム１３７とセシウム１３４の値を測定した値と、その後、７頭のそれぞれの牛に１７日間連続で創生水を飲ませた後の１０月１３日のセシウム１３７とセシウム１３４の値を測定したものである。上段の表の右側は、９月２６日の７頭のそれぞれの牛のセシウム１３７とセシウム１３４との合計の値と、７頭の牛に１７日間連続で創生水を飲ませた後のそれぞれの牛の１０月１３日のセシウム１３７とセシウム１３４との合計の値と、９月２６日の合計の値と１０月１３日の合計の値とを比較した減少率（増加率）の割合の値とを示すものである。
【００３９】
創生水を飲ませる７頭の牛のセシウム１３７とセシウム１３４は、牛の尿から測定した。創生水を飲ませる７頭の牛の測定対象物を「創生１」、「創生２」、「創生４」、「創生５」、「創生６」、「創生７」、「創生８」とする。３番目の「創生３」の数値が無いのは、「創生３」の対象となる牛が途中で、水の飲みが悪くなったことから、対象から外したことによる。「創生１」〜「創生８」までに該当する牛は、順に隣り合わせの牛舎で飼育されているものである。
【００４０】
下段の表の左側は、測定開始日である９月２６日に８頭のそれぞれの牛のセシウム１３７とセシウム１３４の値を測定した値と、その後、８頭のそれぞれの牛に１７日間連続で井戸水を飲ませた後の１０月１３日のセシウム１３７とセシウム１３４の値を測定したものである。下段の表の右側は、９月２６日の８頭のそれぞれの牛のセシウム１３７とセシウム１３４との合計の値と、８頭の牛に１７日間連続で井戸水を飲ませた後のそれぞれの牛の１０月１３日のセシウム１３７とセシウム１３４との合計の値と、９月２６日の合計の値と１０月１３日の合計の値とを比較した減少率（増加率）の割合の値とを示すものである。
【００４１】
井戸水を飲ませる８頭の牛のセシウム１３７とセシウム１３４は、牛の尿から測定した。井戸水を飲ませる８頭の牛の測定対象物を「井戸９」、「井戸１０」、「井戸１１」、「井戸１２」、「井戸１３」、「井戸１４」、「井戸１５」、「井戸１６」とする。「井戸９」に該当する牛は、「創生８」の隣りの牛舎で飼育されており、「井戸９」〜「井戸１６」までに該当する牛は、順に隣り合わせの牛舎で飼育されているものである。なお、「創生１」〜「創生８」まで（「創生３」を除く）に該当する牛と「井戸９」〜「井戸１６」までに該当する牛との全ての牛には、９月２６日の実験開始日まで、飲料水として同じ井戸水を飲ませていた。
【００４２】
ここで、図６に、「創生１」〜「創生８」（「創生３」を除く）に該当する牛と、「井戸９」〜「井戸１６」該当する牛とについて、検体番号と、生後何か月であるかを示す。創生１に該当する牛は、検体Ｎｏ．４９０６９、生後１８か月である。創生２に該当する牛は、検体Ｎｏ．６７１３−１、生後２１か月である。創生４に該当する牛は、検体Ｎｏ．３３０６−５、生後１９か月である。創生５に該当する牛は、検体Ｎｏ．６１９４−８、生後１６か月である。創生６に該当する牛は、検体Ｎｏ．５７３５−４、生後１９か月である。創生７に該当する牛は、検体Ｎｏ．５７１４−９、生後１７か月である。創生７に該当する牛は、検体Ｎｏ．４３４８−７、生後１８か月である。井戸９に該当する牛は、検体Ｎｏ．９３９９−４、２０か月である。井戸１０に該当する牛は、検体Ｎｏ．６０７５−０、生後１７か月である。井戸１１に該当する牛は、検体Ｎｏ．７２５６−９、生後１８か月である。井戸１２に該当する牛は、検体Ｎｏ．３２７９−２、生後２０か月である。井戸１３に該当する牛は、検体Ｎｏ．４５８２−５、生後１６か月である。井戸１４に該当する牛は、検体Ｎｏ．７０５９−５、生後１８か月である。井戸１５に該当する牛は、検体Ｎｏ．００２３−４、生後１９か月である。井戸１６に該当する牛は、検体Ｎｏ．３１３８、生後１７か月である。
【００４３】
「創生１」から「創生８」まで８種類の牛舎が連続して連結されており、更に、「井戸９」から「井戸１６」まで８種類の牛舎が連続して連結されている。「創生１」における「創生２」と反対側の領域を領域Ａとし、「創生８」における「創生７」と反対側の領域を領域Ｂとする。「井戸９」における「井戸１０」と反対側の領域を領域Ｃとし、「井戸１６」における「井戸１５」と反対側の領域を領域Ｄとする。領域Ｂと領域Ｃとは隣り合って配置されている。領域Ａ，領域Ｂ，領域Ｃ，領域Ｄは、１つの牛舎と同じ面積である。領域Ａの土では、セシウム１３７が３２２０Ｂｑ／Ｋｇと、セシウム１３４が２３８０Ｂｑ／Ｋｇとのセシウムの合計５６００Ｂｑ／Ｋｇの値が検出された。領域Ｂの土では、舎の土は、セシウム１３７が１０７００Ｂｑ／Ｋｇと、セシウム１３４が７９３０Ｂｑ／Ｋｇとのセシウムの合計１８６３０Ｂｑ／Ｋｇの値が検出された。領域Ｃの土では、セシウム１３７が６６１０Ｂｑ／Ｋｇと、セシウム１３４が４７９０Ｂｑ／Ｋｇとのセシウムの合計１１４００Ｂｑ／Ｋｇの値が検出された。領域Ｄの土では、セシウム１３７が１０２００Ｂｑ／Ｋｇと、セシウム１３４が７２４０Ｂｑ／Ｋｇとのセシウムの合計１７４４０Ｂｑ／Ｋｇの値が検出された。
【００４４】
図５の上段の飲料水として創生水を１７日間連続で摂取させた表について説明する。先ず、「創生１」の牛の尿について、９月２６日ではセシウム１３７は７７．２Ｂｑ／Ｋｇであり、セシウム１３４は５９．７Ｂｑ／Ｋｇであったのに対し、１７日間連続で創生水を摂取させた１０月１３日ではセシウム１３７は３０．８Ｂｑ／Ｋｇであり、セシウム１３４は２５．１Ｂｑ／Ｋｇであった。９月２６日のセシウム１３７とセシウム１３４の合計は１３６．９Ｂｑ／Ｋｇであったのに対し、１０月１３日のセシウム１３７とセシウム１３４の合計は５５．９Ｂｑ／Ｋｇであった。９月２６日のセシウムの合計と１０月１３日のセシウムの合計とを比較すると、「創生水１」のセシウムの減少率は、（１−５５．９÷１３６．９）×１００＝５９．２％であった。
【００４５】
前述の「創生１」の値が正しいものであることを、図７と図８に示す。図７は、「創生１」の牛の尿について、９月２６日でのセシウム１３７は７７．２Ｂｑ／Ｋｇであり、セシウム１３４は５９．７Ｂｑ／Ｋｇであることを示す試験成績証明書である。図７は、「創生１」の牛の尿について、１０月１３日でのセシウム１３７は３０．８Ｂｑ／Ｋｇであり、セシウム１３４は２５．１Ｂｑ／Ｋｇであることを示す試験成績証明書である。「創生１」の同一性を示すものは、図７と図８における記号：４９０６９である。但し、図８では、記号が４９０６となっているが、これは数字４９０６９とすべきところ、誤字で４９０６となったものである。図７と図８の試験成績証明書の発行先は、財団法人日本乳業技術協会である。その住所は〒１０２−００７３東京都千代田区九段北１丁目１４番１９号乳業会館、ＴＥＬは０３−３２６４−１９２１、ＦＡＸは０３−３２６４−１５６９である。
【００４６】
次に、「創生２」の牛の尿について、９月２６日ではセシウム１３７は７５．６Ｂｑ／Ｋｇであり、セシウム１３４は７０．６Ｂｑ／Ｋｇであったのに対し、１７日間連続で創生水を摂取させた１０月１３日ではセシウム１３７は７１．４Ｂｑ／Ｋｇであり、セシウム１３４は５５．５Ｂｑ／Ｋｇであった。９月２６日のセシウム１３７とセシウム１３４の合計は１４６．２Ｂｑ／Ｋｇであったのに対し、１０月１３日のセシウム１３７とセシウム１３４の合計は１２６．９Ｂｑ／Ｋｇであった。９月２６日のセシウムの合計と１０月１３日のセシウムの合計とを比較すると、「創生水２」のセシウムの減少率は、（１−１２６．９÷１４６．２）×１００＝１３．２％であった。
【００４７】
前述の「創生２」の値が正しいものであることを、図９に示す。図９の上部は、「創生２」の牛の尿について、９月２６日でのセシウム１３７は７５．６Ｂｑ／Ｋｇであり、セシウム１３４は７０．６Ｂｑ／Ｋｇであることを示す試験成績証明書の一部（上半分）を示す。図９の下部は、「創生２」の牛の尿について、１０月１３日でのセシウム１３７は７１．４Ｂｑ／Ｋｇであり、セシウム１３４は５５．５Ｂｑ／Ｋｇであることを示す試験成績証明書の一部（上半分）を示す。上部の記号６７１３と下部の記号６７１３とが同一であるから、同一の対象物であることが明らかである。なお、９月２６日に関する試験成績証明書の一部と１０月１３日に関する試験成績証明書の一部とを１枚の図９に示したが、これは、図面の増大を少なくするためのものである。以下に後述する図１０〜図２２も同様である。図９の試験成績証明書の発行先は、図７と図８の試験成績証明書の発行先と同様に財団法人日本乳業技術協会である。また、以下に後述する図１０〜図２２も同様である。
【００４８】
図９から図２２の上部の宛先は、日本獣医生命科学大学である。図９から図２２の上部の値は、実験開始日である２０１１年９月２６日のセシウム１３７とセシウム１３４の値を示す試験成績証明書に関するものである。図９から図２２の下部の宛先は、創生ワールド株式会社である。本願の発明者券出願人である深井利春は、創生ワールド株式会社の代表者である。図９から図２２の下部の値は、１０月１３日（創生水を１７日間飲料水として摂取させた後）のセシウム１３７とセシウム１３４の値を示す試験成績証明書に関するものである。
【００４９】
次に、「創生４」の牛の尿について、９月２６日ではセシウム１３７は１６８Ｂｑ／Ｋｇであり、セシウム１３４は１２７Ｂｑ／Ｋｇであったのに対し、１７日間連続で創生水を摂取させた１０月１３日ではセシウム１３７は１３１Ｂｑ／Ｋｇであり、セシウム１３４は７４．１Ｂｑ／Ｋｇであった。９月２６日のセシウム１３７とセシウム１３４の合計は２９５Ｂｑ／Ｋｇであったのに対し、１０月１３日のセシウム１３７とセシウム１３４の合計は２０５．１Ｂｑ／Ｋｇであった。９月２６日のセシウムの合計と１０月１３日のセシウムの合計とを比較すると、「創生水４」のセシウムの減少率は、（１−２０５．１÷２９５）×１００＝３０．５％であった。
【００５０】
前述の「創生４」の値が正しいものであることを、図１０に示す。図１０の上部は、「創生４」の牛の尿について、９月２６日でのセシウム１３７は１６８Ｂｑ／Ｋｇであり、セシウム１３４は１２７Ｂｑ／Ｋｇであることを示す試験成績証明書の一部（上半分）を示す。図１０の下部は、「創生４」の牛の尿について、１０月１３日でのセシウム１３７は１３１Ｂｑ／Ｋｇであり、セシウム１３４は７４．１Ｂｑ／Ｋｇであることを示す試験成績証明書の一部（上半分）を示す。上部の記３３０６と下部の記号３３０６とが同一であるから、同一の対象物であることが明らかである。
【００５１】
次に、「創生５」の牛の尿について、９月２６日ではセシウム１３７は２１２Ｂｑ／Ｋｇであり、セシウム１３４は１７０Ｂｑ／Ｋｇであったのに対し、１７日間連続で創生水を摂取させた１０月１３日ではセシウム１３７は１４０Ｂｑ／Ｋｇであり、セシウム１３４は１１３Ｂｑ／Ｋｇであった。９月２６日のセシウム１３７とセシウム１３４の合計は３８２Ｂｑ／Ｋｇであったのに対し、１０月１３日のセシウム１３７とセシウム１３４の合計は２５３Ｂｑ／Ｋｇであった。９月２６日のセシウムの合計と１０月１３日のセシウムの合計とを比較すると、「創生水５」のセシウムの減少率は、（１−２５３÷３８２）×１００＝３３．８％であった。
【００５２】
前述の「創生５」の値が正しいものであることを、図１１に示す。図１１の上部は、「創生５」の牛の尿について、９月２６日でのセシウム１３７は２１２Ｂｑ／Ｋｇであり、セシウム１３４は１７０Ｂｑ／Ｋｇであることを示す試験成績証明書の一部（上半分）を示す。図１０の下部は、「創生５」の牛の尿について、１０月１３日でのセシウム１３７は１４０Ｂｑ／Ｋｇであり、セシウム１３４は１１３Ｂｑ／Ｋｇであることを示す試験成績証明書の一部（上半分）を示す。上部の記号３３０６と下部の記号３３０６とが同一であるから、同一の対象物であることが明らかである。
【００５３】
次に、「創生６」の牛の尿について、９月２６日ではセシウム１３７は２４４Ｂｑ／Ｋｇであり、セシウム１３４は２００Ｂｑ／Ｋｇであったのに対し、１７日間連続で創生水を摂取させた１０月１３日ではセシウム１３７は１３４Ｂｑ／Ｋｇであり、セシウム１３４は９７．８Ｂｑ／Ｋｇであった。９月２６日のセシウム１３７とセシウム１３４の合計は４４４Ｂｑ／Ｋｇであったのに対し、１０月１３日のセシウム１３７とセシウム１３４の合計は２３１．８Ｂｑ／Ｋｇであった。９月２６日のセシウムの合計値と１０月１３日のセシウムの合計値とを比較すると、「創生水６」のセシウムの減少率は、（１−２３１．８÷４４４）×１００＝４７．８％であった。
【００５４】
前述の「創生６」の値が正しいものであることを、図１２に示す。図１２の上部は、「創生６」の牛の尿について、９月２６日でのセシウム１３７は２４４Ｂｑ／Ｋｇであり、セシウム１３４は２００Ｂｑ／Ｋｇであることを示す試験成績証明書の一部（上半分）を示す。図１２の下部は、「創生６」の牛の尿について、１０月１３日でのセシウム１３７は１３４Ｂｑ／Ｋｇであり、セシウム１３４は９７．８Ｂｑ／Ｋｇであることを示す試験成績証明書の一部（下半分）を示す。上部の記号５７３５と下部の記号５７３５とが同一であるから、同一の対象物であることが明らかである。
【００５５】
次に、「創生７」の牛の尿について、９月２６日ではセシウム１３７は３１５Ｂｑ／Ｋｇであり、セシウム１３４は２４６Ｂｑ／Ｋｇであったのに対し、１７日間連続で創生水を摂取させた１０月１３日ではセシウム１３７は２３６Ｂｑ／Ｋｇであり、セシウム１３４は１４１Ｂｑ／Ｋｇであった。９月２６日のセシウム１３７とセシウム１３４の合計は５６１Ｂｑ／Ｋｇであったのに対し、１０月１３日のセシウム１３７とセシウム１３４の合計は３６７Ｂｑ／Ｋｇであった。９月２６日のセシウムの合計値と１０月１３日のセシウムの合計値とを比較すると、「創生水６」のセシウムの減少率は、（１−３６７÷５６１）×１００＝３６．４％であった。
【００５６】
前述の「創生７」の値が正しいものであることを、図１３に示す。図１３の上部は、「創生７」の牛の尿について、９月２６日でのセシウム１３７は３１５Ｂｑ／Ｋｇであり、セシウム１３４は２４６Ｂｑ／Ｋｇであることを示す試験成績証明書の一部（上半分）を示す。図１３の下部は、「創生７」の牛の尿について、１０月１３日でのセシウム１３７は２３６Ｂｑ／Ｋｇであり、セシウム１３４は１４１Ｂｑ／Ｋｇであることを示す試験成績証明書の一部（下半分）を示す。上部の記号５７１４と下部の記号５７１４とが同一であるから、同一の対象物であることが明らかである。
【００５７】
次に、「創生８」の牛の尿について、９月２６日ではセシウム１３７は６６５Ｂｑ／Ｋｇであり、セシウム１３４は５２９Ｂｑ／Ｋｇであったのに対し、１７日間連続で創生水を摂取させた１０月１３日ではセシウム１３７は２３２Ｂｑ／Ｋｇであり、セシウム１３４は１６２Ｂｑ／Ｋｇであった。９月２６日のセシウム１３７とセシウム１３４の合計は１１９４Ｂｑ／Ｋｇであったのに対し、１０月１３日のセシウム１３７とセシウム１３４の合計は３９４Ｂｑ／Ｋｇであった。９月２６日のセシウムの合計値と１０月１３日のセシウムの合計値とを比較すると、「創生水６」のセシウムの減少率は、（１−３９４÷１１９４）×１００＝６７％であった。
【００５８】
前述の「創生８」の値が正しいものであることを、図１４に示す。図１４の上部は、「創生８」の牛の尿について、９月２６日でのセシウム１３７は６６５Ｂｑ／Ｋｇであり、セシウム１３４は５２９Ｂｑ／Ｋｇであることを示す試験成績証明書の一部（上半分）を示す。図１４の下部は、「創生８」の牛の尿について、１０月１３日でのセシウム１３７は２３２Ｂｑ／Ｋｇであり、セシウム１３４は１６２Ｂｑ／Ｋｇであることを示す試験成績証明書の一部（下半分）を示す。上部の記号４３４８と下部の記号４３４８とが同一であるから、同一の対象物であることが明らかである。
【００５９】
次に、「井戸９」の牛の尿について、９月２６日ではセシウム１３７は８６．６Ｂｑ／Ｋｇであり、セシウム１３４は５５．５Ｂｑ／Ｋｇであったのに対し、１７日間連続で創生水を摂取させた１０月１３日ではセシウム１３７は１３２Ｂｑ／Ｋｇであり、セシウム１３４は１１３Ｂｑ／Ｋｇであった。９月２６日のセシウム１３７とセシウム１３４の合計は１４２．１Ｂｑ／Ｋｇであったのに対し、１０月１３日のセシウム１３７とセシウム１３４の合計は２４５Ｂｑ／Ｋｇであった。９月２６日のセシウムの合計と１０月１３日のセシウムの合計とを比較すると、「井戸９」のセシウムの増加率は、（２４５÷１４２．１−１）×１００＝７２．４％であった。
【００６０】
前述の「井戸９」の値が正しいものであることを、図１５に示す。図１５の上部は、「井戸９」の牛の尿について、９月２６日でのセシウム１３７は８６．６Ｂｑ／Ｋｇであり、セシウム１３４は５５．５Ｂｑ／Ｋｇであることを示す試験成績証明書の一部（上半分）を示す。図１５の下部は、「井戸９」の牛の尿について、１０月１３日でのセシウム１３７は１３２Ｂｑ／Ｋｇであり、セシウム１３４は１１３Ｂｑ／Ｋｇであることを示す試験成績証明書の一部（下半分）を示す。上部の記号９３９９と下部の記号９３９９とが同一であるから、同一の対象物であることが明らかである。
【００６１】
次に、「井戸１０」の牛の尿について、９月２６日ではセシウム１３７は９８．６Ｂｑ／Ｋｇであり、セシウム１３４は７６．２Ｂｑ／Ｋｇであったのに対し、１７日間連続で創生水を摂取させた１０月１３日ではセシウム１３７は２００Ｂｑ／Ｋｇであり、セシウム１３４は１６８Ｂｑ／Ｋｇであった。９月２６日のセシウム１３７とセシウム１３４の合計は１７４．８Ｂｑ／Ｋｇであったのに対し、１０月１３日のセシウム１３７とセシウム１３４の合計は３６６Ｂｑ／Ｋｇであった。９月２６日のセシウムの合計と１０月１３日のセシウムの合計とを比較すると、「井戸９」のセシウムの増加率は、（３６６÷１７４．８−１）×１００＝１０９．４％であった。
【００６２】
前述の「井戸１０」の値が正しいものであることを、図１６に示す。図１６の上部は、「井戸１０」の牛の尿について、９月２６日でのセシウム１３７は９８．６Ｂｑ／Ｋｇであり、セシウム１３４は７６．２Ｂｑ／Ｋｇであることを示す試験成績証明書の一部（上半分）を示す。図１６の下部は、「井戸１０」の牛の尿について、１０月１３日でのセシウム１３７は２００Ｂｑ／Ｋｇであり、セシウム１３４は１６５Ｂｑ／Ｋｇであることを示す試験成績証明書の一部（下半分）を示す。上部の記号６０７５と下部の記号６０７５とが同一であるから、同一の対象物であることが明らかである。
【００６３】
次に、「井戸１１」の牛の尿について、９月２６日ではセシウム１３７は１５８Ｂｑ／Ｋｇであり、セシウム１３４は１３５Ｂｑ／Ｋｇであったのに対し、１７日間連続で創生水を摂取させた１０月１３日ではセシウム１３７は３４．９Ｂｑ／Ｋｇであり、セシウム１３４は３６．６Ｂｑ／Ｋｇであった。９月２６日のセシウム１３７とセシウム１３４の合計は２９３Ｂｑ／Ｋｇであったのに対し、１０月１３日のセシウム１３７とセシウム１３４の合計は７１．５Ｂｑ／Ｋｇであった。９月２６日のセシウムの合計と１０月１３日のセシウムの合計とを比較すると、「井戸９」のセシウムの減少率は、（１−７１．５÷２９３）×１００＝７５．６％であった。
【００６４】
前述の「井戸１１」の値が正しいものであることを、図１７に示す。図１７の上部は、「井戸１１」の牛の尿について、９月２６日でのセシウム１３７は１５８Ｂｑ／Ｋｇであり、セシウム１３４は１３５Ｂｑ／Ｋｇであることを示す試験成績証明書の一部（上半分）を示す。図１７の下部は、「井戸１１」の牛の尿について、１０月１３日でのセシウム１３７は３４．９Ｂｑ／Ｋｇであり、セシウム１３４は３６．６Ｂｑ／Ｋｇであることを示す試験成績証明書の一部（下半分）を示す。上部の記号７２５６と下部の記号７２５６とが同一であるから、同一の対象物であることが明らかである。
【００６５】
次に、「井戸１２」の牛の尿について、９月２６日ではセシウム１３７は１７０Ｂｑ／Ｋｇであり、セシウム１３４は１６３Ｂｑ／Ｋｇであったのに対し、１７日間連続で創生水を摂取させた１０月１３日ではセシウム１３７は１３２Ｂｑ／Ｋｇであり、セシウム１３４は１０６Ｂｑ／Ｋｇであった。９月２６日のセシウム１３７とセシウム１３４の合計は３３３Ｂｑ／Ｋｇであったのに対し、１０月１３日のセシウム１３７とセシウム１３４の合計は２３８Ｂｑ／Ｋｇであった。９月２６日のセシウムの合計と１０月１３日のセシウムの合計とを比較すると、「井戸９」のセシウムの減少率は、（１−２３８÷３３３）×１００＝２８．５％であった。
【００６６】
前述の「井戸１２」の値が正しいものであることを、図１８に示す。図１８の上部は、「井戸１２」の牛の尿について、９月２６日でのセシウム１３７は１７０Ｂｑ／Ｋｇであり、セシウム１３４は１６３Ｂｑ／Ｋｇであることを示す試験成績証明書の一部（上半分）を示す。図１８の下部は、「井戸１２」の牛の尿について、１０月１３日でのセシウム１３７は１３２Ｂｑ／Ｋｇであり、セシウム１３４は１０６Ｂｑ／Ｋｇであることを示す試験成績証明書の一部（下半分）を示す。上部の記号３２７９と下部の記号３２７９とが同一であるから、同一の対象物であることが明らかである。
【００６７】
次に、「井戸１３」の牛の尿について、９月２６日ではセシウム１３７は２０４Ｂｑ／Ｋｇであり、セシウム１３４は１６４Ｂｑ／Ｋｇであったのに対し、１７日間連続で創生水を摂取させた１０月１３日ではセシウム１３７は５６．５Ｂｑ／Ｋｇであり、セシウム１３４は２９．３Ｂｑ／Ｋｇであった。９月２６日のセシウム１３７とセシウム１３４の合計は３６８Ｂｑ／Ｋｇであったのに対し、１０月１３日のセシウム１３７とセシウム１３４の合計は７９．８Ｂｑ／Ｋｇであった。９月２６日のセシウムの合計と１０月１３日のセシウムの合計とを比較すると、「井戸９」のセシウムの減少率は、（１−７９．８÷３６８）×１００＝７８．３％であった。
【００６８】
前述の「井戸１３」の値が正しいものであることを、図１９に示す。図１９の上部は、「井戸１３」の牛の尿について、９月２６日でのセシウム１３７は２０４Ｂｑ／Ｋｇであり、セシウム１３４は１６４Ｂｑ／Ｋｇであることを示す試験成績証明書の一部（上半分）を示す。図１９の下部は、「井戸１３」の牛の尿について、１０月１３日でのセシウム１３７は５６．５Ｂｑ／Ｋｇであり、セシウム１３４は２９．３Ｂｑ／Ｋｇであることを示す試験成績証明書の一部（下半分）を示す。上部の記号４５８２と下部の記号４５８２とが同一であるから、同一の対象物であることが明らかである。
【００６９】
次に、「井戸１４」の牛の尿について、９月２６日ではセシウム１３７は２８３Ｂｑ／Ｋｇであり、セシウム１３４は１９６Ｂｑ／Ｋｇであったのに対し、１７日間連続で創生水を摂取させた１０月１３日ではセシウム１３７は１２７Ｂｑ／Ｋｇであり、セシウム１３４は１００Ｂｑ／Ｋｇであった。９月２６日のセシウム１３７とセシウム１３４の合計は４７９Ｂｑ／Ｋｇであったのに対し、１０月１３日のセシウム１３７とセシウム１３４の合計は２２７Ｂｑ／Ｋｇであった。９月２６日のセシウムの合計と１０月１３日のセシウムの合計とを比較すると、「井戸１４」のセシウムの減少率は、（１−２２７÷４７９）×１００＝５２．６％であった。
【００７０】
前述の「井戸１４」の値が正しいものであることを、図２０に示す。図２０の上部は、「井戸１４」の牛の尿について、９月２６日でのセシウム１３７は２８３Ｂｑ／Ｋｇであり、セシウム１３４は１９６Ｂｑ／Ｋｇであることを示す試験成績証明書の一部（上半分）を示す。図２０の下部は、「井戸１４」の牛の尿について、１０月１３日でのセシウム１３７は１２７Ｂｑ／Ｋｇであり、セシウム１３４は１００Ｂｑ／Ｋｇであることを示す試験成績証明書の一部（下半分）を示す。上部の記号７０５９と下部の記号７０５９とが同一であるから、同一の対象物であることが明らかである。
【００７１】
次に、「井戸１５」の牛の尿について、９月２６日ではセシウム１３７は３２２Ｂｑ／Ｋｇであり、セシウム１３４は２７３Ｂｑ／Ｋｇであったのに対し、１７日間連続で創生水を摂取させた１０月１３日ではセシウム１３７は２２９Ｂｑ／Ｋｇであり、セシウム１３４は１６８Ｂｑ／Ｋｇであった。９月２６日のセシウム１３７とセシウム１３４の合計は５９５Ｂｑ／Ｋｇであったのに対し、１０月１３日のセシウム１３７とセシウム１３４の合計は３９７Ｂｑ／Ｋｇであった。９月２６日のセシウムの合計と１０月１３日のセシウムの合計とを比較すると、「井戸１４」のセシウムの減少率は、（１−３９７÷５９５）×１００＝３３．３％であった。
【００７２】
前述の「井戸１５」の値が正しいものであることを、図２１に示す。図２１の上部は、「井戸１５」の牛の尿について、９月２６日でのセシウム１３７は３２２Ｂｑ／Ｋｇであり、セシウム１３４は２７３Ｂｑ／Ｋｇであることを示す試験成績証明書の一部（上半分）を示す。図２０の下部は、「井戸１５」の牛の尿について、１０月１３日でのセシウム１３７は２２９Ｂｑ／Ｋｇであり、セシウム１３４は１６８Ｂｑ／Ｋｇであることを示す試験成績証明書の一部（下半分）を示す。上部の記号００２３と下部の記号００２３とが同一であるから、同一の対象物であることが明らかである。
【００７３】
次に、「井戸１６」の牛の尿について、９月２６日ではセシウム１３７は５６８Ｂｑ／Ｋｇであり、セシウム１３４は４４７Ｂｑ／Ｋｇであったのに対し、１７日間連続で創生水を摂取させた１０月１３日ではセシウム１３７は１３３Ｂｑ／Ｋｇであり、セシウム１３４は１０８Ｂｑ／Ｋｇであった。９月２６日のセシウム１３７とセシウム１３４の合計は１０１５Ｂｑ／Ｋｇであったのに対し、１０月１３日のセシウム１３７とセシウム１３４の合計は２４１Ｂｑ／Ｋｇであった。９月２６日のセシウムの合計と１０月１３日のセシウムの合計とを比較すると、「井戸１４」のセシウムの減少率は、（１−２４１÷１０１５）×１００＝７６．３％であった。
【００７４】
前述の「井戸１６」の値が正しいものであることを、図２２に示す。図２２の上部は、「井戸１６」の牛の尿について、９月２６日でのセシウム１３７は５６８Ｂｑ／Ｋｇであり、セシウム１３４は４４７Ｂｑ／Ｋｇであることを示す試験成績証明書の一部（上半分）を示す。図２０の下部は、「井戸１５」の牛の尿について、１０月１３日でのセシウム１３７は１３３Ｂｑ／Ｋｇであり、セシウム１３４は１０８Ｂｑ／Ｋｇであることを示す試験成績証明書の一部（下半分）を示す。上部の記号３１３８と下部の記号３１３６とが同一であるから、同一の対象物であることが明らかである。
【００７５】
図１における下側の表の「井戸９」〜「井戸１６」までに該当する８頭の牛に、井戸水を１７日間飲ませた場合に、尿からのセシウムの減少率は、平均２０．４％であった。尿からのセシウムの減少率が２０．４％であるということは、水は体内から尿を通してセシウムを体外に排出除去するものであることが分かる。
図１における上側の表の「創生１」〜「創生８」（「創生３」を除く）までに該当する７頭の牛に、創生水を１７日間飲ませた場合に、尿からのセシウムの減少率は、平均４０．９％であった。
【００７６】
飲料水として、創生水を飲ませた場合のセシウムの減少率は、井戸水を飲ませた場合のセシウムの減少率の約２倍である。よって、飲料水として創生水を飲ませると、井戸水や水道水を飲ませるより、約１／２の期間（短期間）で体内からセシウム等の放射性物質を排出除去することが可能である。よって、牛、馬、豚、羊、鶏等の家畜の体内にセシウム等の放射性物質が含まれているとしても、出荷に至るまでの間に飲料水として創生水を摂取させることによって、体内に蓄積されていたセシウム等の放射性物質を短期間で体外に排出することができる。この結果、牛、馬、豚、羊、鶏等の家畜の出荷時期までにセシウム等の放射性物質を基準値以下までに低減させて、安全な食材として販売することができる。
【００７７】
図５の表結果の実験は牛を対象に行ったが、飲料水として牛以外の馬、豚、羊、鶏等の家畜に摂取させても、犬や猫等のペットや、人間等の動物に摂取させても、動物である場合には同様の結果が得られると想定される。
【００７８】
セシウム等の放射性物質を体内に蓄積している動物が創生水を摂取することが、井戸水や水道水を摂取するよりも比較的速やかに体外に排除できる理由は定かではない。セシウム等の放射性物質は一種の電磁波である。これに対して創生水は、電磁性を失わせるものを含んでおり、セシウムを熱エネルギに変えてセシウムを減少させるものと推察される。
【符号の説明】
【００７９】
１０  第１軟水生成器
１２  第２軟水生成器
１４  イオン生成器
１６  岩石収納器
３２  イオン交換樹脂
４６  トルマリン
４８  金属
５４  岩石
【図１】
2013132262.tif 000003
【図２】
2013132262.tif 000004
【図３】
2013132262.tif 000005
【図４】
2013132262.tif 000006
【図５】
2013132262.tif 000007
【図６】
2013132262.tif 000008
【図７】
2013132262.tif 000009
【図８】
2013132262.tif 000010
【図９】
2013132262.tif 000011
【図１０】
2013132262.tif 000012
【図１１】
2013132262.tif 000013
【図１２】
2013132262.tif 000014
【図１３】
2013132262.tif 000015
【図１４】
2013132262.tif 000016
【図１５】
2013132262.tif 000017
【図１６】
2013132262.tif 000018
【図１７】
2013132262.tif 000019
【図１８】
2013132262.tif 000020
【図１９】
2013132262.tif 000021
【図２０】
2013132262.tif 000022
【図２１】
2013132262.tif 000023
【図２２】
2013132262.tif 000024